(57)【要約】【課題】従来の技術によれば、片手で洗濯物をピンチに挟んで干す作業、乾いた洗濯物を取り込む作業は、手先の器用さを要求され難儀な面がある。そこで、本発明は洗濯物を干す、取り込む、たたむという作業が手先の器用さに関係なく片手ででき、さらに、既に取り込まれた洗濯物をたたむ作業も、片手で容易にできる物干し具と使用方法を提供すること。【解決手段】洗濯物（４）を干す作業は、洗濯物（４）をテーブル（１）の溝（１ａ）に置いた棒（２）の上に広げ、棒（２）を持ち上げて、洗濯物（４）を棒（２）に掛け、洗濯物（４）を掛けた棒（２）をフレーム（５）の上方から下ろし、フレーム（５）の棒固定具（６）に配置することで、干す作業が片手で容易にできる。また、前述のテーブル（４）と棒（２）を用いることにより、洗濯物（４）を取り込んでたたむ作業、半分の大きさにたたむ作業、この発明以外の方法で既に取り込まれた洗濯物（４）をたたむ作業が片手でできる。【選択図】図１
2014073346.tif 000002
【特許請求の範囲】
【請求項１】
テーブル（１）、棒（２）、フレーム（５）、脚（３）から成り、テーブル（１）は長方形で、その長さ方向の中心部上面に棒（２）を配置するための溝（２ａ）を有し、フレーム（５）は、棒（２）を挟持するための棒固定具（６）を複数個有し、棒（２）は、フレーム（５）の棒固定具（６）に配置するための溝（２ａ）をその両端に有し、テーブル（１）及びフレーム（５）は、それぞれ折りたたみ可能な脚（３）により水平に支持されていることを特徴とする物干し具。
【請求項２】
棒（２）をテーブル（１）の溝（１ａ）に配置し、その上に洗濯物（４）を広げ、棒（２）を持ち上げることにより洗濯物（４）を棒（２）に掛け、その棒（２）をフレーム（５）の上方から棒固定具（６）に配置し、洗濯物（４）を干す作業を片手で行いうることを特徴とする請求項１記載の物干し具の使用方法。
【請求項３】
乾いた洗濯物（４）を掛けた棒（２）を、フレーム（５）の上方へ持ち上げ、テーブル（１）に横たえ、棒（２）を手前方向に抜くことにより、取り込む作業とたたむ作業を、片手で行いうることを特徴とする請求項１記載の物干し具の使用方法。
【請求項４】
たたまれた洗濯物（４）を、テーブルの溝（２ａ）に配置した棒（２）の上に置き、棒（２）を持ち上げ、洗濯物（４）を掛け、再びテーブル（１）に横たえ、棒（２）を手前方向に抜くことにより、さらに半分の大きさにたたむ作業を片手で行いうることを特徴とする請求項１記載の物干し具の使用方法。
【請求項５】
この発明以外の方法で既に取り込まれた洗濯物（４）も、棒（２）をテーブル（１）の溝（１ａ）に配置し、棒（２）の上に洗濯物（４）を広げ、棒（２）を持ち上げ、棒（２）に掛けた洗濯物（４）をテーブル（１）に横たえ、棒（２）を手前方向に抜くことにより、たたむ作業を片手で行いうることを特徴とする請求項１記載の物干し具の使用方法。
【発明の詳細な説明】
【技術分野】
【０００１】  本発明は、洗濯物を干す作業、取り込む作業、たたむ作業を、片手で容易に行うための物干し具及び使用方法に関する。
【背景技術】
【０００２】  従来の物干し具は、フレームに複数個のピンチを吊り下げたものが広く用いられている。
【先行技術文献】
【特許文献】
【０００３】
【特許文献１】特開２００４−１３５７７４号公報
【発明の概要】
【発明が解決しようとする課題】
【０００４】  しかしながら、上記の技術によれば、片手で洗濯物をピンチに挟んで干す作業、乾いた洗濯物を取り込む作業は、手先の器用さを要求され難儀な面がある。そこで、この発明は洗濯物を干す、取り込む、たたむという一連の作業が手先の器用さに関係なく片手で容易にでき、さらに、この発明以外の方法で既に取り込まれた洗濯物をたたむ作業も、片手で容易にできる物干し具及び使用方法を提供することを課題とする。
【課題を解決するための手段】
【０００５】  上記課題を解決するために、第一発明は、この発明の物干し具において、テーブル、棒、フレーム、脚から成り、テーブルは長方形で、その長さ方向の中心部上面に棒を配置するための溝を有し、フレームは、棒を挟持するための棒固定具を複数個有し、棒は、フレームの棒固定具に配置するための溝をその両端に有し、テーブル及びフレームは、それぞれ折りたたみ可能な脚により水平に支持されていることを特徴とする。
第二発明は、棒をテーブルの溝に配置し、その上に洗濯物を広げ、棒を持ち上げることにより洗濯物を棒に掛け、その棒をフレームの上方から棒固定具に配置し、洗濯物を干す作業を片手で行いうることを特徴とする。
第三発明は、乾いた洗濯物を掛けた棒を、フレームの上方へ持ち上げ、テーブルに横たえ、棒を手前方向に抜くことにより、取り込む作業とたたむ作業を片手で行いうることを特徴とする。
第四発明は、たたまれた洗濯物を、テーブルの溝に配置した棒の上に置き、棒を持ち上げ、洗濯物を掛け、再びテーブルに横たえ、棒を手前方向に抜くことにより、さらに半分の大きさにたたむ作業を片手で行いうることを特徴とする。
第五発明は、この発明以外の方法で既に取り込まれた洗濯物も、棒をテーブルの溝に配置し、棒の上に洗濯物を広げ、棒を持ち上げ、棒に掛けた洗濯物を、テーブルに横たえ、棒を手前方向に抜くことにより、たたむ作業を片手で行いうることを特徴とする。
【発明の効果】
【０００６】  この発明によれば、棒をテーブルの溝に配置し、その上に洗濯物を広げ、棒を持ち上げることにより洗濯物を棒に掛け、その棒をフレームの上方から棒固定具に配置して洗濯物を干す形態であるため、従来のピンチを用いた物干し具で必要とされた手先の器用さに関係なく、片手で容易に洗濯物を干すことができる。
また、乾いた洗濯物を掛けた棒を、フレームの上方へ持ち上げ、テーブルに横たえ、棒を手前方向に抜くことにより、取り込む作業とたたむ作業が容易にできる。また、たたまれた洗濯物を、テーブルの溝に配置した棒の上に置き、棒を持ち上げ、洗濯物を掛け、再びテーブルに横たえ、棒を手前方向に抜くことにより、さらに半分の大きさにたたむ作業が片手で容易にできる。  さらに、この発明以外の方法で既に取り込まれた洗濯物もテーブルの溝に配置した棒の上に置き、棒を持ち上げ、洗濯物を掛け、再びテーブルに横たえ、棒を手前方向に抜くことにより容易にたたむことができる。
【図面の簡単な説明】
【０００７】
【図１】この発明の実施形態（洗濯物を棒に掛けるために広げた状態）を示した斜視図である。
【図２】この発明の実施形態（洗濯物を棒に掛けた状態）を示した斜視図である。
【図３】この発明の実施形態（洗濯物を掛けた棒を配置するフレームと棒固定具に、配置した状態）を示した斜視図及び部分拡大図である。
【図４】この発明の実施形態（洗濯物をテーブルに置き、たたむ状態）を示した斜視図である。
【発明を実施するための形態】
この発明の物干し具は、プラスチック製のテーブル（１）、棒（２）、フレーム（５）、脚（３）、金属製の棒固定具（６）で構成される。
この発明の一実施形態を図１〜図４を参照して説明する。
【０００８】  テーブル（１）は、長方形で長さ方向の中心部上面に棒（２）を配置するための溝（１ａ）を有し、脚（３）により水平に支持されている。棒（２）は、フレーム（５）の棒固定具（６）に配置するための溝（２ａ）を両端に有する。
洗濯物（４）を棒（２）に掛ける作業は、図１に示すように、テーブル（１）の溝（１ａ）に棒（２）を配置し、その上に洗濯物（４）を広げ、棒（２）を持ち上げることにより行う。
【０００９】  棒（２）に洗濯物（４）を掛け、棒（２）を持ち上げた状態を図２に示す。
【００１０】  フレーム（５）は、図３に示すように、棒固定具（６）を複数個有し、洗濯物（４）を掛けた棒（２）を、フレーム（５）の上方から棒固定具（６）に配置することにより洗濯物（４）を干すことができる。  また、棒固定具（６）は、棒（２）の溝（２ａ）を挟持し、外力による棒（２）のずれ、脱落を防ぐ。
【００１１】  乾いた洗濯物（４）を取り込んでたたむために、棒（２）に洗濯物（４）を掛けたままフレーム（５）の上方へ持ち上げ、図４に示すように、テーブル（１）に横たえ、棒（２）を洗濯物（４）から手前方向に抜くことによりたたんだ状態にする。
また、たたまれた洗濯物（４）を、テーブル（１）の溝（１ａ）に配置した棒（２）の上に置き、棒（２）を持ち上げ、洗濯物（４）を掛け、再びテーブル（１）に横たえ、棒（２）を手前方向に抜くことにより、さらに半分の大きさにたたむことができる。
また、既にこの発明以外の方法で取り込まれた洗濯物（図示せず）は、テーブル（１）の溝（１ａ）に置いた棒（２）の上に広げ、棒（２）を持ち上げ再びテーブル（１）に横たえ、棒（２）を手前方向に抜くことによりたたむことができる。
「実施形態の効果」
【００１２】  この実施形態によれば、従来のフレームに複数個のピンチを吊り下げた物干し具を用いた物干し作業に比べ、手先の器用さを必要としないため、洗濯物を干す作業、取り込む作業が片手で容易にできる。  また、洗濯物をたたむ作業も片手で容易にできる。
「他の実施形態」
【００１３】  以上、この発明の実施形態について説明したが、この発明は上記実施形態に示したものに限定されるものではない。例えば、上記実施形態では、テーブル（１）、棒（２）、脚（３）、フレーム（５）はプラスチック製であるが、それぞれの機能や強度を充足するものであれば、その材質は木材、アルミニウム等でもよく、その材質や形状に限定されるものではない。
また、棒固定具（６）は金属製であるが、洗濯物（４）を掛けた棒（２）を挟持し外力による棒（２）のずれ、脱落を防止するためのものであり機能と強度を充足するものであればその材質はプラスチックでもよく、その形状や材質に限定されるものではない。
また、洗濯物（４）を掛ける棒（２）の形状は、円柱状のもので両端に溝を有するものであるが、その形状は楕円柱や四角柱状のものでもよく、両端の溝はフレームの棒固定具に狭持されるためのものであり、その形状に限定されるものではない。
また、テーブル（１）の溝（１ａ）の底面の形状は、上記実施形態では半四角状であるが、半円状等のものでもよくその形状に限定されるものではない。
また、上記実施形態ではフレーム（５）は据え置き型（図３）として洗濯物（４）を干す形態であるが、フレーム（５）をフック付紐（７）により物干し竿に吊るして干しても良く、洗濯物（４）を干す形態に限定されるものではない。
また、脚（３）にキャスター（図示せず）を取り付けることにより、テーブル（１）及びフレーム（５）の移動を容易にする形態でもよい。
【符号の説明】
【００１４】１    テーブル
１ａ  テーブルの溝
２    棒
２ａ  棒の溝
３    脚（折りたたみ式）
４    洗濯物
５    フレーム
６    棒固定具
７    フック付紐
【図１】
2014073346.tif 000003
【図２】
2014073346.tif 000004
【図３】
2014073346.tif 000005
【図４】
2014073346.tif 000006